(57)【特許請求の範囲】
【請求項１】
外面にエンブレムが取り付けられるエアバッグ装置のカバー体本体であって、
エンブレムの取付用脚部を差し込むための複数の孔と、
該カバー体本体の裏面のうち該複数の孔の各々にそれぞれの孔に対応して複数個設けられており、該孔に差し込まれて該裏面に沿って折り返された該取付用脚部の先端に対して折り倒されることにより重なる溶着用リブと、
を有しており、
前記孔を３方から囲むように前記溶着用リブが設けられていることを特徴とするエアバッグ装置のカバー体本体。
【請求項２】
請求項１において、前記溶着用リブの先端側には斜めのカット部が設けられていることを特徴とするエアバッグ装置のカバー体本体。
【請求項３】
カバー体本体に対してエンブレムが取り付けられてなるエアバッグ装置のカバー体を製造する方法において、
カバー体本体は請求項１又は２に記載のカバー体本体であり、
エンブレムは、該カバー体本体の外面に配置される主板部と、該主板部の外縁部からエンブレムの背後方向に突設された取付用脚部とを有するものであるエアバッグ装置のカバー体の製造方法であって、
該取付用脚部を該孔に差し込み、該取付用脚部の先端側をカバー体本体の裏面に重なるように折り返し、
次いで、熱溶着又は超音波溶着用の溶着子を該溶着用リブに押し付けて該溶着用リブを折り倒して該取付用脚部に重ね、且つ熱又は超音波振動を加えて該溶着用リブを溶融させ、折り返された該取付用脚部の先端側を該溶着用リブの溶着物で覆うことを特徴とするエアバッグ装置のカバー体の製造方法。
【請求項４】
請求項３において、前記カバー体本体は請求項２に記載のカバー体本体であり、
前記溶着子を前記溶着用リブに押し付けたときに、該溶着子が前記カット部を前記取付用脚部に重なる方向に押し倒すことを特徴とするエアバッグ装置のカバー体の製造方法。
【発明の詳細な説明】
【０００１】
【発明の属する技術分野】
本発明は、自動車等の高速移動体の乗員を保護するためのエアバッグ装置のカバー体の製造方法及びカバー体本体に関するものであり、特にエンブレムを備えたカバー体の製造方法及びカバー体本体に関する。詳しくは、このエンブレムのカバー体への取付構造の改良に関する。
【０００２】
【従来の技術】
車両の衝突などの衝撃に対して乗員を保護するエアバッグ装置として、運転席用エアバッグ装置、助手席用エアバッグ装置などが広く普及している。運転席用エアバッグ装置は、ステアリングホイールのボス部に設置されるものであり、ガスを噴射するインフレータと、エアバッグと、折り畳まれて収納されたエアバッグを覆うカバー体などを備えている。自動車の衝突などに際しては、インフレータから噴射されるガスの圧力によりエアバッグを膨張させ、軟質樹脂にて形成したカバー体を開裂させて扉状に開放させ、エアバッグを乗員の前方に膨張展開させる。
【０００３】
このエアバッグ装置、特に運転席用エアバッグ装置のカバー体には、エンブレムと称される装飾用プレートが取り付けられることが多い。このエンブレムのカバー体への取付構造として、カバー体の前面にエンブレム嵌め込み用の凹部を設けると共に、この凹部に貫通孔を設け、エンブレムから背後方向に突設された脚部を該孔に挿通させ、且つ脚部の先端側をカバー体の内面に沿って折曲した構造が公知である（例えば、特開平１０−２７３００４号、同１１−１８９１１９号）。
【０００４】
同号公報にあっては、このエンブレムの脚部をカバー体の孔に挿通し、次いで、各脚部を閉脚方向に折曲させてそれらの先端同士を重ね合わせ、各脚部の先端部を重ね合わせてリベットを打ち、これによりエンブレムをカバー体に固定している。
【０００５】
【発明が解決しようとする課題】
上記のように孔に脚部を挿入し、この脚部を折曲した後、脚部の先端部同士をリベットで連結してエンブレムをカバー体の内面に沿って折曲してエンブレムを取り付けた構造においては、小さな脚部の先端部同士を正確に重ね合わせてリベット打ちを行なうため、作業に著しく手間がかかる。
【０００６】
本発明は、きわめて容易にエンブレムをカバー体に固定することができるエアバッグ装置のカバー体の製造方法及びカバー体本体を提供することを目的とする。
【０００７】
また、上記従来のエンブレム取付構造にあっては、脚部が孔内で動き、エンブレムにガタツキが生じるおそれがある。
【０００８】
本発明は、エンブレムがガタつくことなくしっかりと固定されたエアバッグ装置のカバー体の製造方法及びカバー体本体を提供することを目的とする。
【０００９】
【課題を解決するための手段】
本発明（請求項１）のエアバッグ装置のカバー体本体は、外面にエンブレムが取り付けられるエアバッグ装置のカバー体本体であって、エンブレムの取付用脚部を差し込むための複数の孔と、該カバー体本体の裏面のうち該複数の孔の各々にそれぞれの孔に対応して複数個設けられており、該孔に差し込まれて該裏面に沿って折り返された該取付用脚部の先端に対して折り倒されることにより重なる溶着用リブと、を有しており、前記孔を３方から囲むように前記溶着用リブが設けられていることを特徴とするものである。
【００１１】
請求項２のエアバッグ装置のカバー体本体は、請求項１において、前記溶着用リブの先端側には斜めのカット部が設けられていることを特徴とするものである。
【００１２】
本発明（請求項３）のエアバッグ装置のカバー体の製造方法は、カバー体本体に対してエンブレムが取り付けられてなるエアバッグ装置のカバー体を製造する方法において、カバー体本体は請求項１又は２に記載のカバー体本体であり、エンブレムは、該カバー体本体の外面に配置される主板部と、該主板部の外縁部からエンブレムの背後方向に突設された取付用脚部とを有するものであるエアバッグ装置のカバー体の製造方法であって、該取付用脚部を該孔に差し込み、該取付用脚部の先端側をカバー体本体の裏面に重なるように折り返し、次いで、熱溶着又は超音波溶着用の溶着子を該溶着用リブに押し付けて該溶着用リブを折り倒して該取付用脚部に重ね、且つ熱又は超音波振動を加えて該溶着用リブを溶融させ、折り返された該取付用脚部の先端側を該溶着用リブの溶着物で覆うことを特徴とするものである。
【００１３】
請求項４のエアバッグ装置のカバー体の製造方法は、請求項３において、前記カバー体本体は請求項２に記載のカバー体本体であり、前記溶着子を前記溶着用リブに押し付けたときに、該溶着子が前記カット部を前記取付用脚部に重なる方向に押し倒すことを特徴とするものである。
【００１４】
かかるエアバッグ装置のカバー体の製造方法及びカバー体本体にあっては、脚部をカバー体の孔に通して折曲した後、溶着により脚部を固定することにより、エンブレムがカバー体に固定されるので、カバー体へのエンブレムの取り付けがきわめて容易である。また、脚部が溶着物で覆われるため、脚部がエンブレムに直に当ることも防止される。さらに、脚部が溶着物により固定されるので、エンブレムのガタツキも防止される。
【００１５】
【発明の実施の形態】
以下、図面を参照して実施の形態について説明する。第１図は実施の形態に係るエンブレム付きカバー体の分解斜視図、第２図は第１図の要部拡大斜視図、第３図は第１図のカバー体の要部の裏側からの斜視図、第４図及び第５図（ａ）は第３図のIV−IV線及びＶ−Ｖ線に沿う断面図である。第５図（ｂ），（ｃ）は溶着手順の説明図である。
【００１６】
このカバー体１は、運転席用エアバッグ装置のモジュールカバーであり、周知の通り、運転席乗員に対面するようにステアリングホイール中央に配置される。
【００１７】
このカバー体１は例えば熱可塑性合成樹脂の射出成形等により形成される。このカバー体１の内面にはテアライン１ａ，１ｂが設けられており、エアバッグが膨張する際にはカバー体１はこのテアライン１ａ，１ｂに沿って開裂する。このカバー体１の前面にエンブレム４の取付用の凹部２が設けられている。
【００１８】
この実施の形態では、エンブレム４は略々長方形状であり、凹部２も同形状であるが、エンブレムの形状はこれに限定されるものではないことは当然である。この凹部２の段差面に沿ってカバー体１の裏側にまで貫通する複数個の孔３が設けられ、エンブレム４の脚部５がこの孔３に挿通される。
【００１９】
エンブレム４は、周縁部の全周を立壁状に背後方向に起立させて側面を形成し、この側面の先端（背後側の端）から脚部５を背後方向に突設させたものである。
【００２０】
この脚部５及び孔６は、合計６個ずつ設けられているが、この数が他の数であっても良いことは明らかである。
【００２１】
この実施の形態では、エンブレム４はアルミニウム等の金属板を加工したものであり、脚部５は薄いプレートよりなる舌状片として形成されている。この脚部５には開口６が設けられている。
【００２２】
この実施の形態では、第１図では図面を明瞭にするために図示が省略されているが、凹部２の上面には第２図の通り凸条２０が設けられている。この凸条２０はエンブレム４の裏面に当接し、該エンブレム４をバックアップしている。この凸条２０は、凹部２の内周縁に沿って周回する囲枠部２１と、この囲枠部２１内に桁状に複数条略平行に設けられた桁状部２２とからなる。
【００２３】
カバー体１の裏面にあっては、孔３を３方から囲むように溶着用リブ７が設けられている。なお、リブ７の枚数は１，２又は４枚であってもよい。
【００２４】
このエンブレム４は、第４図及び第５図（ａ）のように脚部５を孔３に差し込み、次いで、第５図（ｂ）の如く、脚部５の先端側をカバー体１の裏面に重なるように折り返す。そして、熱溶着又は超音波溶着用の溶着子８をリブ７に押し付け、リブ７を脚部５に重なるように折り倒し、且つ熱又は超音波振動を加えてリブ７を溶融させ、折り返された脚部５の先端側をリブ７で覆う。リブ７はカバー体１の裏面に溶着される。
【００２５】
これにより、第５図（ｃ）の通り、リブ７の溶融物に由来する溶着物９が脚部５の先端側を覆い、且つこの溶着物９がカバー体１と一体化するので、脚部５がカバー体１にしっかりと固定される。この溶着物９の一部は、脚部５の孔６に入り込んでカバー体１と一体化するので、脚部５のカバー体１への取付はきわめてしっかりとしたものとなる。
【００２６】
なお、上記のリブ７の先端側には斜めのカット部７ａが設けられており、溶着子８がリブ７に押し付けられたときに溶着子８の突部８ａが該カット部７ａを脚部５に重なる方向に押し倒すよう構成されている。
【００２７】
【発明の効果】
以上の通り、本発明によると、エンブレムをカバー体に容易にしかもしっかりと固定することができる。
【図面の簡単な説明】
【図１】  実施の形態に係るエンブレム付きカバー体の分解斜視図である。
【図２】  カバー体のエンブレム部分の分解斜視図である。
【図３】  カバー体の裏側から見たエンブレム部分の分解斜視図である。
【図４】  第２図のIV−IV線に沿う断面図である。
【図５】  実施の形態に係るカバー体へのエンブレムの取付方法を示す断面図である。
【符号の説明】
１  カバー体
２  凹部
３  孔
４  エンブレム
５  脚部
６  孔
７  リブ
８  熱溶着又は超音波溶着子
９  溶着物
【図１】
0004734702.tif 000002
【図２】
0004734702.tif 000003
【図３】
0004734702.tif 000004
【図４】
0004734702.tif 000005
【図５】
0004734702.tif 000006